(57)【要約】【課題】ラチェットギアと係合爪との係合によりチルト角を保持するチルト装置において、チルト部のチルト動作に伴って押しボタンが小刻みに振動することを防止する。【解決手段】チルト装置２０は、ラチェット歯２３ａ及び係合爪２４ｂを備えたラチェット機構によりチルト部のチルト角を保持する。可動部材２４を押し下げることによりラチェット歯２３ａと係合爪２４ｂとの係合を解除する押しボタン２１は、押圧ばね２５により上下動ストロークにおける上限位置いっぱいに位置決めされており、非操作状態においては上方へ移動することのできる移動しろ（ガタ）が排除され、チルト動作に伴い可動部材２４が小刻みに動いても、押しボタン２１が小刻みに振動することが防止される。【選択図】図５
2010005941.tif 000002
【特許請求の範囲】
【請求項１】
機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段と、
所定の上下動ストロークを有し、押下されることにより前記可動部材を変位させ或いは姿勢変化させて、前記係合爪を前記歯部から退避させる押しボタンと、
前記押しボタンが押下されない非操作状態において、前記押しボタンの上下動ストロークにおける上限位置に当該押しボタンを位置決めする位置決め手段と、
を備えたことを特徴とするチルト装置。
【請求項２】
機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段と、
所定の上下動ストロークを有し、押下されることにより前記可動部材を変位させ或いは姿勢変化させて、前記係合爪を前記歯部から退避させる押しボタンと、
前記押しボタンが押下されない非操作状態において、前記可動部材と、前記押しボタンと、の間に間隔を形成するよう前記押しボタンを位置決めする位置決め手段と、
を備えたことを特徴とするチルト装置。
【請求項３】
請求項１または２に記載のチルト装置において、前記位置決め手段と前記押しボタンとが一部材で構成されていることを特徴とするチルト装置。
【請求項４】
請求項１から３のいずれか１項に記載のチルト装置において、前記チルト角保持部材が、円筒状部材または円柱状部材の外周に沿って前記歯部を備えて構成されるとともに、前記機器本体に対し固定状態で設けられ、
前記可動部材が、前記チルト角保持部材が遊挿される穴部の内側に前記係合爪を備えて構成され、前記チルト部において前記押しボタンのストローク方向に変位することにより、前記係合爪の前記歯部に対する係合及び係合解除の切り替えを行うよう設けられ、
前記可動部材を、前記係合爪が前記歯部に係合する方向に付勢する第１付勢部材と、
前記可動部材と前記押しボタンとの間に介在し、前記押しボタンを前記上限位置に向けて付勢する、前記位置決め手段を構成する第２付勢部材と、を備えて構成されている、
ことを特徴とするチルト装置。
【請求項５】
請求項１から３のいずれか１項に記載のチルト装置において、前記チルト角保持部材が、円筒状部材または円柱状部材の外周に沿って前記歯部を備えて構成されるとともに、前記チルト部に対し固定状態で設けられ、
前記可動部材が、前記係合爪及び前記押しボタンと係合可能なボタン係合部を備えるとともに回動可能に設けられ、前記押しボタンにより前記ボタン係合部が押されることにより、回動して前記係合爪を前記歯部から離間させるよう設けられ、
前記チルト角保持部材を回動可能に支持する、前記機器本体に対し固定状態で設けられるホルダ部材と、
前記可動部材を、前記係合爪が前記歯部に係合する方向に付勢する第１付勢部材と、
弾性変形することにより前記押しボタンの押し込み抵抗を発生させる、前記位置決め手段を構成する弾性変形部、および前記押しボタンを一体的に備えて成るボタン部材と、を備えて構成されている、
ことを特徴とするチルト装置。
【請求項６】
被記録媒体に記録を行う記録手段と、
各種情報を表示する情報表示部及び各種操作設定を行う操作設定部を備えたチルト部のチルト角を保持する、請求項１から５のいずれか１項に記載の前記チルト装置と、
を備えたことを特徴とする記録装置。
【発明の詳細な説明】
【技術分野】
【０００１】
本発明は、機器本体に対してチルト可能に設けられるチルト部のチルト角を保持するチルト装置、および当該チルト装置を備えた、ファクシミリやプリンタ等に代表される記録装置に関する。
【背景技術】
【０００２】
電子機器には各種情報を表示する情報表示部（例えば、液晶表示部などにより構成される）及び各種操作設定を行う為の操作ボタンや電源ボタン等を備えた操作設定部をチルトパネルに備え、チルト機構を介してユーザが情報の視認や操作設定を行い易い任意のチルト角で保持できるようになっている。
【０００３】
チルト機構は、例えば特許文献１に示されるようにラチェットギアと係合爪とを備えたラチェット機構を備えて構成され、このラチェット機構によって一定方向へのパネル回動は許容し、その逆方向へのパネル回動は制限して、小刻みにチルト角を調整可能とするとともに任意のチルト角を保持できるようになっている。
【特許文献１】特開２００７−１６４３３１号公報
【発明の開示】
【発明が解決しようとする課題】
【０００４】
上記の様に構成されたチルト機構において、チルトパネルを、その回動が許容される方向にチルトさせると、これに伴い係合爪がラチェットギア上で小刻みに飛び跳ねる。このため、ラチェットギアと係合爪との係合状態を解除する為に係合爪と係合する押しボタンを設けた場合には、係合爪の前記飛び跳ね動作に同期して押しボタンが小刻みに振動し、装置の外観上好ましくない結果を招く。また、押しボタンの不要な上下動に伴って当該押しボタンの摺動摩擦抵抗が次第に大きくなり、押しボタンの操作感が早期に低下してしまう虞もある。
【０００５】
そこで本発明はこの様な状況に鑑みなされたものであり、その目的は、ラチェットギアと係合爪との係合によりチルト角を保持するチルト装置において、ラチェットギアと係合爪との係合状態を解除する為に係合爪と係合する押しボタンを設けた際に、チルト部のチルト動作に伴って前記押しボタンが小刻みに振動することを防止することにある。
【課題を解決するための手段】
【０００６】
上記課題を解決するために、本発明の第１の態様に係るチルト装置は、機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段と、所定の上下動ストロークを有し、押下されることにより前記可動部材を変位させ或いは姿勢変化させて、前記係合爪を前記歯部から退避させる押しボタンと、前記押しボタンが押下されない非操作状態において、前記押しボタンの上下動ストロークにおける上限位置に当該押しボタンを位置決めする位置決め手段とを備えたことを特徴とする。
【０００７】
本態様によれば、係合爪を歯部から退避させる押しボタンは、位置決め手段によって上下動ストロークにおける上限位置に位置決めされており、すなわち非操作状態（押しボタンが押下されない状態）においては上限位置いっぱいに位置決めされたことにより上方へ移動することのできる移動しろ（ガタ）が存在せず、この為係合爪（可動部材）が飛び跳ねても、押しボタンが小刻みに振動することを防止できる。
【０００８】
本発明の第２の態様に係るチルト装置は、機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段と、所定の上下動ストロークを有し、押下されることにより前記可動部材を変位させ或いは姿勢変化させて、前記係合爪を前記歯部から退避させる押しボタンと、前記押しボタンが押下されない非操作状態において、前記可動部材と、前記押しボタンと、の間に間隔を形成するよう前記押しボタンを位置決めする位置決め手段とを備えたことを特徴とする。
【０００９】
本態様によれば、係合爪を歯部から退避させる押しボタンは、位置決め手段によって係合爪を備える可動部材との間に間隔が形成されるよう位置決めされており、すなわち非操作状態（押しボタンが押下されない状態）においては前記可動部材が前記押しボタンと干渉することなく動作できる空間が形成されており、この為係合爪（可動部材）が飛び跳ねても押しボタンが小刻みに振動することを防止できる。
【００１０】
本発明の第３の態様に係るチルト装置は、第１のまたは第２の態様において、前記位置決め手段と前記押しボタンとが一部材で構成されていることを特徴とする。  
本態様によれば、前記位置決め手段と前記押しボタンとが一部材で構成されているので、チルト装置を構造簡単にして且つ低コストに構成することができる。
【００１１】
本発明の第４の態様に係るチルト装置は、第１から第３の態様のいずれかにおいて、前記チルト角保持部材が、円筒状部材または円柱状部材の外周に沿って前記歯部を備えて構成されるとともに、前記機器本体に対し固定状態で設けられ、前記可動部材が、前記チルト角保持部材が遊挿される穴部の内側に前記係合爪を備えて構成され、前記チルト部において前記押しボタンのストローク方向に変位することにより、前記係合爪の前記歯部に対する係合及び係合解除の切り替えを行うよう設けられ、前記可動部材を、前記係合爪が前記歯部に係合する方向に付勢する第１付勢部材と、前記可動部材と前記押しボタンとの間に介在し、前記押しボタンを前記上限位置に向けて付勢する、前記位置決め手段を構成する第２付勢部材と、を備えて構成されていることを特徴とする。
【００１２】
本態様によれば、可動部材と押しボタンとの間に介在する第２付勢部材により押しボタンが常に上限位置に向けて付勢されるので、押しボタンが上下動ストロークにおける上限位置いっぱいに確実に位置決めされ、チルト動作に伴う押しボタンの微動が確実に防止される。
【００１３】
本発明の第５の態様に係るチルト装置は、第１から第３の態様のいずれかにおいて、前記チルト角保持部材が、円筒状部材または円柱状部材の外周に沿って前記歯部を備えて構成されるとともに、前記チルト部に対し固定状態で設けられ、前記可動部材が、前記係合爪及び前記押しボタンと係合可能なボタン係合部を備えるとともに回動可能に設けられ、前記押しボタンにより前記ボタン係合部が押されることにより、回動して前記係合爪を前記歯部から離間させるよう設けられ、前記チルト角保持部材を回動可能に支持する、前記機器本体に対し固定状態で設けられるホルダ部材と、前記可動部材を、前記係合爪が前記歯部に係合する方向に付勢する第１付勢部材と、弾性変形することにより前記押しボタンの押し込み抵抗を発生させる、前記位置決め手段を構成する弾性変形部、および前記押しボタンを一体的に備えて成るボタン部材と、を備えて構成されていることを特徴とする。
【００１４】
本態様によれば、弾性変形することにより押しボタンの押し込み抵抗を発生させる、前記位置決め手段を構成する弾性変形部、および前記押しボタンを一体的に備えて成るボタン部材と、を備えているので、部品点数が削減され、チルト装置を構造簡単にして且つ低コストに構成することができる。
【００１５】
本発明の第６の態様に係る記録装置は、被記録媒体に記録を行う記録手段と、各種情報を表示する情報表示部及び各種操作設定を行う操作設定部を備えたチルト部のチルト角を保持する、第１から第５の態様のいずれかに係る前記チルト装置とを備えたことを特徴とする。本態様によれば、被記録媒体に記録を行う記録装置において、上記第１から第５の態様のいずれかと同様な作用効果を得ることができる。
【発明を実施するための最良の形態】
【００１６】
以下、図１〜図１４を参照しながら本発明の実施形態について説明する。  
［本発明の第１実施形態］  
以下では先ず、図１〜図７を参照しながら本発明の第１実施形態について説明する。ここで、図１及び図２は本発明の第１実施形態に係るインクジェット複合機１Ａの外観斜視図、図３は本発明の第１実施形態に係るチルト装置２０の斜視図、図４は同分解斜視図、図５は同断面斜視図、図６（Ａ）、（Ｂ）は同断面図、図７（Ａ）はラチェット歯２３ａと係合爪２４ｂとの係合部分の拡大図、図７（Ｂ）はラチェット歯２３ａと係合爪２４ｂとの圧接により生じる力の作用方向を説明する図である。
【００１７】
図１及び図２において被記録媒体に記録を行う記録装置の一例としてのインクジェット複合機１Ａは、被記録媒体に記録を実行する記録手段（図示せず）を備えたインクジェットプリンタ機構（図示せず）と、スキャナ機構（図示せず）とを併せ持った複合機であり、符号１ａは上記インクジェットプリンタ機構及びスキャナ機構を備えた装置本体を示し、また符号２は装置本体１ａの上部に設けられ、スキャナ機構の原稿台（図示せず）を開閉する原稿台カバー２を示している。
【００１８】
符号４は装置底部に設けられ、装置手前側に引き出すことで用紙（図示せず）をセット可能となる用紙カセットを示しており、また符号５は装置手前側に引き出すことで展開状態となり、記録の行われた用紙をスタック可能な状態となる引き出し式用紙スタッカを示している。
【００１９】
更に符号３は画像データなどが記憶された記憶媒体（図示せず）を挿入する記憶媒体挿入部を示していて、インクジェット複合機１Ａは、記憶媒体挿入部３に挿入された記憶媒体に記憶された画像データを、外部コンピュータによらず、単独でインクジェット記録可能な所謂スタンドアロン型プリンタとして構成されている。
【００２０】
そして装置手前側中央部には、チルト部としてのチルトパネルユニット１０Ａが設けられている。チルトパネルユニット１０Ａは、プレビュー画像やユーザインタフェースなどの各種情報を表示する、液晶モニタなどで構成される情報表示部１１と、各種設定を行うタッチボタンが複数配列されて成る操作設定部１２と、を備えている。
【００２１】
チルトパネルユニット１０Ａは後述するチルト装置２０を介してインクジェット複合機１Ａの装置本体１ａに対して回動（チルト）可能に設けられており、またそのチルト角が、チルト装置２０によって例えば図２に示すような角度に保持されるようになっていて、ユーザにとって視認性及び操作性の良好な任意の角度で保持できるようになっている。
【００２２】
図１において符号２１はチルト装置２０を構成する押しボタンを示しており、チルトパネルユニット１０Ａを図１の垂直姿勢から図２に示すような傾斜姿勢にチルトさせた後、押しボタン２１を押下することによりチルト角の保持状態が解除され、図１の垂直姿勢に戻ることができるようになっている。
【００２３】
続いて図３〜図６を参照しながらチルト装置２０について詳説する。  
本実施形態に係るチルト装置２０は、プリンタ本体側に固定状態で設けられる支持部材２２及びこの支持部材２２の軸２２ａに装着されるラチェット部材２３と、チルトパネルユニット１０Ａの基体を構成するフレーム１４Ａに対しスライド可能に設けられる可動部材２４及び押しボタン２１を備えている。また可動部材２４と押しボタン２１との間には押圧ばね２５が、また可動部材２４とフレーム１４Ａとの間には押圧ばね２６が、それぞれ設けられている。
【００２４】
支持部材２２の軸２２ａは、チルトパネルユニット１０Ａの回動中心を形成する軸であり、この軸２２ａに固定状態で装着されるラチェット部材２３は、円筒状部材の外周に沿って「歯部」としてのラチェット歯２３ａを複数備えて構成されている。
【００２５】
可動部材２４は、ラチェット部材２３が遊挿される穴部２４ａを有するとともに、その穴部２４ａの内側に係合爪２４ｂを備えている。また可動部材２４は円筒部２４ｃを有しており、この円筒部２４ｃが、フレーム１４Ａに形成されたホルダ１５に遊挿されるようになっている。
【００２６】
可動部材２４は、円筒部２４ｃがホルダ１５に遊挿されることにより、図３〜図５の上下方向、即ち押しボタン２１のストローク方向にスライド可能となっており、スライドすることにより（押しボタン２１が操作されることにより）、係合爪２４ｂのラチェット歯２３ａに対する係合及び係合解除の切り替えを行う。
【００２７】
また、穴部２４ａにラチェット部材２３が遊挿されることで、可動部材２４はラチェット部材２３（軸２２ａ）を軸として回転可能となり、即ちチルトパネルユニット１０Ａがラチェット部材２３（軸２２ａ）を軸として回転可能となっている。
【００２８】
押しボタン２１は側方に突起２１ａを備えており、チルトパネルユニット１０Ａのフレーム内側を規制面（図６において符号Ｓｒで示す）に突起２１ａが当接することにより、その上下動ストロークの上限位置が定まるようになっている。尚、押しボタン２１の上下動ストロークの下限位置は、当該押しボタン２１を押し込んだ際に可動部材２４における円筒部２４ｃの下端部がホルダ１５における内底面１５ａに当接し、且つ押しボタン２１が可動部材２４の上部に当接することにより定まる。
【００２９】
可動部材２４における円筒部２４ｃには、その内側の凹部２４ｄに第１付勢部材としての押圧ばね２６が配設され、この押圧ばね２６が、ホルダ１５における内底面１５ａとの間で付勢力を発揮することにより、可動部材２４を、係合爪２４ｂがラチェット歯２３に係合する方向に付勢する。
【００３０】
また可動部材２４の上部と押しボタン２１（より詳しくはその内部に形成された凹部２１ｂ）との間には、押しボタン２１を上下動ストロークの上限位置に向けて付勢する、第２付勢部材および位置決め手段としての押圧ばね２５が設けられ、押しボタン２１は、常に上限位置に向けて付勢された状態となり、上限位置いっぱいに位置決めされて上方への移動しろ（ガタ）が無いように設けられている。
【００３１】
以上がチルト装置２０の構成であり、以下チルト装置２０の動作について説明する。図６（Ａ）はチルトパネルユニット１０Ａが垂直姿勢の状態（図１の状態）、即ちチルトされていない状態を示しており、符号Ｓｐはチルトパネルユニット１０Ａのパネル上面を示している。
【００３２】
ラチェット歯２３ａ及び係合爪２４ｂは、可動部材２４の図６の反時計回り方向への回動、即ちチルトパネルユニット１０Ａを装置手前側方向にチルトさせる方向の回動は許容する歯形に形成されている。
【００３３】
従ってチルトパネルユニット１０Ａを図６の反時計回り方向にチルトさせる場合には、図６（Ａ）から図６（Ｂ）への変化に示すように係合爪２４ｂがラチェット歯２３ａを容易に乗り越えながら、ラチェット部材２３の外周面に沿って動くようになっている。尚このとき、係合爪２４ｂは２つのラチェット歯２３ａの間の谷に入り込みながら動くので、可動部材２４は、ラチェット部材２３の半径方向に小刻みに動く。
【００３４】
そして任意のチルト角でチルトパネルユニット１０Ａから手を離しても、ラチェット歯２３ａ及び係合爪２４ｂは、可動部材２４の図６の時計回り方向への回動、即ちチルトパネルユニット１０Ａが垂直姿勢（図６（Ａ））に戻る方向への回動は拘束する歯形に形成されているので、ラチェット歯２３ａと係合爪２４ｂとの係合により、そのチルト角が確実に保持される。
【００３５】
以上の通り、ラチェット歯２３ａ及び係合爪２４ｂを備えて成るラチェット機構は、チルトパネルユニット１０Ａのチルト角を保持するチルト角保持手段を構成する。そしてこのチルト角保持手段により、チルトパネルユニット１０Ａのチルト角が小刻みに調整できるようになっている。
【００３６】
一方、チルトパネルユニット１０Ａを垂直姿勢（図６（Ａ））に戻したい場合には、押しボタン２１を上限位置から下限位置に向けて押下する。すると、可動部材２１が変位し、係合爪２４ｂがラチェット歯２３ａとの係合を解除し（ラチェット歯２３ａから離間し）、これによりチルトパネルユニット１０Ａを垂直姿勢に戻すことができる。
【００３７】
ここで、チルトパネルユニット１０Ａをチルトさせる際、上述した通り係合爪２４ｂは２つのラチェット歯２３ａの間の谷に入り込みながら動く（飛び跳ねながら動く）ので、可動部材２４が、ラチェット部材２３の半径方向に小刻みに動く。このため、仮に可動部材２４と押しボタン２１とを直接係合させると、チルトパネルユニット１０Ａのチルト動作に伴って押しボタン２１が小刻みに振動して装置の外観上好ましくない状態となる。また、押しボタン２１の不要な上下動に伴って押しボタン２１の摺動摩擦抵抗が次第に大きくなり、押しボタン２１の操作感が早期に低下してしまう虞もある。
【００３８】
しかしながら本実施形態においては、押しボタン２１を押下しない非操作状態において、押しボタン２１が押圧ばね２５により上下動ストロークにおける上限位置いっぱいに位置決めされており、すなわち非操作状態においては上方へ移動することのできる移動しろ（ガタ）が排除されている。このため、チルト動作に伴い可動部材２４が小刻みに動いても、押しボタン２１が小刻みに振動（微動）することが防止されている。
【００３９】
尚、押圧ばね２５を介して可動部材２４の小刻みな動きを吸収するので、押しボタン２１の非操作状態において当該押しボタン２１と可動部材２４とが直接接触することは好ましくなく、所定の間隔を空けて配置されていることが好ましい。
【００４０】
次に、ラチェット歯２３ａの歯形について図７を参照しながら詳説する。図７（Ａ）に示すように、ラチェット歯２３ａ及び係合爪２４ｂは、チルトパネルユニット１０Ａの自重を支えることができる他、ボタン操作などの際に所定の押圧力（図６（Ｂ）において符号Ｆで示す）が掛かってもチルト角を保持できる形状を成している。しかしながらこのチルト角の保持が厳格であると、想定外の大きな押圧力Ｆが加わった際に、ラチェット歯２３ａや係合爪２４ｂ、或いはチルトパネルユニット１０Ａの側が破損する虞がある。
【００４１】
そこで本実施形態では、ラチェット歯２３ａにおいて係合爪２４ｂと接してチルト角を保持する側の歯面（図７（Ａ）、（Ｂ）において符号Ｐで示す）を、歯面Ｐの基端側端部（図７（Ｂ）において符号Ｑで示す）を通るラチェット部材２３の半径線（図７（Ａ）、（Ｂ）において符号ｒで示す）に対し開き角（図７（Ｂ）において符号αで示す）を成す傾斜面により形成した。
【００４２】
以下、更に詳説する。図７（Ａ）、（Ｂ）において半径線ｒは、ラチェット部材２３（軸２２ａ）の軸中心位置ｃ（即ち、チルトパネルユニット１０Ａの回動中心）を通る半径線であり、図７（Ｂ）において線ｓは、歯面Ｐを外側に延長した線を示している。図示するように、歯面Ｐは、当該歯面Ｐの基端側端部Ｑを通る半径線ｒに対し開き角α（α＞０°）を成す傾斜面により形成されている。尚、本実施形態では、係合爪２４ｂ側においてラチェット歯２３ａの歯面Ｐと接する歯面は、歯面Ｐと平行に形成されている。
【００４３】
ここで、符号Ｆｐはチルトパネルユニット１０Ａに所定の押圧力Ｆが加えられた際に係合爪２４ｂがラチェット歯２３ａから受ける反力を示しており、この反力Ｆｐは歯面Ｐに垂直な方向を向いている。また符号Ｆａは、反力Ｆｐの、可動部材２４のスライド可能方向に平行な方向の分力を示しており、符号Ｆｂは、可動部材２４が押圧ばね２６により付勢される付勢力を示している。
【００４４】
ここで仮に、歯面Ｐが符号Ｐ’で示すように半径線ｒに対して所定の開き角を形成しない場合、即ちラチェット歯２３ａが鋭角歯である場合には、分力Ｆａは付勢力Ｆｂと同じ方向を向き、チルトパネルユニット１０Ａに加わる押圧力Ｆが増加するほどラチェット歯２３ａと係合爪２４ｂとの係合状態が強固なものとなる。故にこの場合、前記押圧力Ｆが大きくなり過ぎると、ラチェット歯２３ａや係合爪２４ｂ、或いはチルトパネルユニット１０Ａの側が破損する虞がある。
【００４５】
これに対し本実施形態では上述の通り歯面Ｐを半径線ｒに対して所定の開き角α（α＞０°）を形成するような傾斜面で形成したので、反力Ｆｐの分力Ｆａは図７（Ｂ）に示す通り付勢力Ｆｂとは逆方向を向く。
【００４６】
従ってラチェット歯２３ａと係合爪２４ｂとにより所定のチルト角が保持された状態で所定の押圧力Ｆを超える大きな押圧力Ｆがチルトパネルユニット１０Ａに上から加わると、分力Ｆａが付勢力Ｆｂに勝り、その結果係合爪２４ｂが歯面Ｐに接しながら同図右方向に滑り、ラチェット歯２３ａと係合爪２４ｂとの係合が解除されて、係合爪２４ｂが一段下に下がることが可能となっている。また、付勢力Ｆｂが、その様な付勢力の大きさに設定されている。
【００４７】
従ってチルトパネルユニット１０Ａに所定の押圧力Ｆを超える大きな押圧力Ｆが掛かっても、各構成要素の破損を確実に回避することが可能となっている。また、所定の押圧力Ｆが掛かっても各構成要素の破損を招かないようにする為にラチェット歯２３ａや係合爪２４ｂなどを大型化せずに済むので、装置全体の大型化を回避することができる。
【００４８】
尚、ラチェット歯２３ａと係合爪２４ｂとの係合が解除される際の押圧力Ｆを基準負荷とすると、この基準負荷は、例えばラチェット歯２３ａや係合爪２４ｂなどの各構成部位の強度を基準として予め設定することができ、或いは、チルトパネルユニット１０Ａのボタン操作時にユーザから受ける押圧力に所定の余裕を加えた値を基準として、予め求めることができる。
【００４９】
尚、以上説明したラチェット歯２３ａ及び係合爪２４ｂの形状の他にも、チルトパネルユニット１０Ａに掛かる押圧力Ｆが所定の大きさに達するまではチルト角を保持可能（ラチェット歯２３ａと係合爪２４ｂとの係合状態を維持可能）であるとともに、チルトパネルユニット１０Ａに一定以上の押圧力Ｆが加わった際に、係合爪２４ｂがラチェット歯２３ａから離れる方向の力が生じる形状を成していれば、ラチェット歯２３ａ或いは係合爪２４ｂはどのような形状であっても構わない。
【００５０】
また、この様なラチェット歯２３ａ及び係合爪２４ｂの形状は、上述の通りチルトパネルユニット１０Ａに所定の押圧力Ｆを超える大きな押圧力が掛かった際の破損を防止する為の形状であり、上述したチルト動作に伴う押しボタン２１の小刻みな振動を防止する為の必須の構成要素では無い。従ってチルト動作に伴う押しボタン２１の小刻みな振動を防止することのみを目的とする場合には、ラチェット歯２３ａは、例えば図７（Ｂ）において符号Ｐ’で示すような歯面を備えていても構わない。
【００５１】
［本発明の第２実施形態］  
続いて図８〜図１４を参照しながら本発明の第２実施形態について説明する。ここで、図８及び図９は本発明の第２実施形態に係るインクジェット複合機１Ｂの外観斜視図、図１０及び図１１は本発明の第２実施形態に係るチルト装置３０の斜視図、図１２は同分解斜視図、図１３及び図１４は同断面である。尚、図８及び図９において、上述した第１実施形態（図１及び図２）と同様の構成要素については同一符号を付してあり、以下その説明は省略する。
【００５２】
図８及び図９に示すインクジェット複合機１Ｂは、チルトパネルユニット１０Ｂを備えており、このチルトパネルユニット１０Ｂが、後述するチルト装置３０を介してインクジェット複合機１Ｂの装置本体１ａに対して回動（チルト）可能に設けられており、またそのチルト角が、例えば図９に示すような角度に保持されるようになっている。
【００５３】
符号３１は押しボタンを示しており、上述した第１実施形態とは異なり、この押しボタン３１はチルトパネルユニット１０Ｂの側ではなく装置本体１ａの側に設けられている（つまり、パネルとともにチルトしない構造となっている）。
【００５４】
以下、図１０〜図１４を参照しながらチルト装置３０について詳説する。  
本実施形態に係るチルト装置３０は、プリンタ装置本体１ａ側に固定状態で設けられ、ベースとなるホルダ部材３８と、このホルダ部材３８に回動可能に支持されるラチェット部材３３と、ホルダ部材３８に回動可能に支持される可動部材３４と、押しボタン部材３１と、開きばね３５、３６と、ホルダ部材３８に設けられるダンパー３７と、ダンパー３７をホルダ部材３８に保持するホルダ部材３９と、を備えて構成されている。
【００５５】
ラチェット部材３３は、チルトパネルユニット１０Ｂの回動軸３２を受け入れる穴３３ｃを有する円筒状部材である。回動軸３２及び穴３３ｃは、図１３及び図１４に示すように平面視略Ｄ形の形状を成しており、これによりラチェット部材３３がチルトパネルユニット１０Ｂに対して固定状態で装着され、チルトパネルユニット１０Ｂのチルト動作に伴ってラチェット部材３３がホルダ部材３８において回動するようになっている。
【００５６】
ラチェット部材３３は、外周に沿ってラチェット歯３３ａを複数備えており、このラチェット歯３３ａが、後述する可動部材３４の係合爪３４ａと係合することにより、チルトパネルユニット１０Ｂが所定のチルト角で保持される。即ち、ラチェット歯３３ａ及び係合爪３４ａが、チルトパネルユニット１０Ｂを所定のチルト角で保持するチルト角保持手段を構成する。
【００５７】
一方、係合爪３４ａを備える可動部材３４は、回動軸３４ｂ、３４ｂを介してホルダ部材３８に回動可能に設けられており、回動することにより、係合爪３４ａのラチェット歯３３ａに対する係合及び係合解除を行う。尚、第１付勢部材としての巻きばね３５はホルダ部材３８と可動部材３４との間で付勢力を発揮することにより、可動部材３４を、係合爪３４ａがラチェット歯３３ａに係合する方向に付勢する。
【００５８】
押しボタン部材３１は、図１１に示すように（インクジェット複合機１Ｂの）装置本体１ａを構成する装置フレーム１６に固定される固定部３１ｄから上方に延びるアーム部３１ｃと、このアーム部３１ｃの上部に設けられ、装置フレーム１６に形成された軸受部１６ａに支持される支持軸３１ｂと、この支持軸３１ｂから延びる弾性変形可能な弾性変形部３１ｅと、この弾性変形部３１ｅに接続される押しボタン部３１ａと、のこれらを一体的に備えるよう樹脂材料により形成されている。
【００５９】
押しボタン部３１ａは、当該押しボタン部３１ａを押下しない非操作状態において、図１３に示すように可動部材３４のボタン係合部３４ｃとの間に所定の隙間を形成するよう配置されている。そして押しボタン部３１ａが押下されると、図１３から図１４への変化に示すように弾性変形部３１ｅの弾性変形による押し込み抵抗を伴って前記隙間分押しボタン部３１ａが下方に下がり、ボタン係合部３４ｃと接する。
【００６０】
そして更に押しボタン部３１ａが押下されると、当該押しボタン部３１ａがボタン係合部３４ｃを上方から押して、可動部材３４が回動してラチェット歯３３ａと係合爪３４ａとの係合が解除されるようになっている。
【００６１】
尚、ラチェット部材３３にはギア部３３ｂが形成されており、このギア部３３ｂが、ダンパー３７と係合するようになっているとともに、巻きばね３６により、ラチェット部材３３が図１３及び図１４の反時計回り方向、即ちチルトパネルユニット１０が垂直姿勢（図８の姿勢）に戻る方向に付勢されている。
【００６２】
このため、チルトパネルユニット１０Ｂをチルトさせた状態で押しボタン部３１ａを押下し、チェット歯３３ａと係合爪３４ａとの係合を解除すると、チルトパネルユニット１０Ｂは巻きばね３６の付勢力及びチルトパネルユニット１０Ｂの自重により、垂直姿勢に確実に戻るようになっている。またこのとき、ダンパー３７による減衰効果によって、垂直姿勢に戻る際の回動速度が規制されるようになっている。
【００６３】
尚、押しボタン部材３１は、支持軸３１ｂが、装置フレーム１６に形成された軸受部１６ａに支持されている為、押しボタン部３１ａは弾性変形部３１ｅによって可動部材３４（ボタン係合部３４ｃ）との間に所定の間隔が形成された状態となっている。即ち、弾性変形部３１ｅが、押しボタン部３１ａと可動部材３４との間に所定の間隔を形成するよう押しボタン部３１ａを位置決めする位置決め手段を構成する。また、弾性変形部３１ｅが、押しボタン部３１ａをその上下動ストロークにおける上限位置いっぱいに位置決めする位置決め手段を構成する。
【００６４】
以上のように構成されたチルト装置３０によれば、押しボタン部３１ａを押下しない非操作状態において、係合爪３４ａを備える可動部材３４のボタン係合部３４ｃと、押しボタン部３１ａとの間に間隔が形成されるよう構成されており、即ち可動部材３４（ボタン係合部３４ｃ）が押しボタン３１と干渉することなく動くことのできる空間が形成されている。従って係合爪３４ａがラチェット歯３３ａとの間で飛び跳ねても、押しボタン部３１ａが小刻みに振動することを防止できる。
【００６５】
また、押しボタン部３１ａの非操作状態において当該押しボタン部３１ａを位置決めする位置決め手段としての弾性変形部３１ｅが、押しボタン部３１ａと樹脂成形により一体的に形成されているので、装置の低コスト化を図られている。
【図面の簡単な説明】
【００６６】
【図１】本発明の第１実施形態に係るインクジェット複合機の外観斜視図。
【図２】本発明の第１実施形態に係るインクジェット複合機の外観斜視図。
【図３】本発明の第１実施形態に係るチルト装置の斜視図。
【図４】本発明の第１実施形態に係るチルト装置の分解斜視図。
【図５】本発明の第１実施形態に係るチルト装置の断面斜視図。
【図６】（Ａ）、（Ｂ）は本発明の第１実施形態に係るチルト装置の断面図。
【図７】（Ａ）はラチェット歯と係合爪との係合部分の拡大図、（Ｂ）はラチェット歯と係合爪との圧接により生じる力の作用方向を説明する図。
【図８】本発明の第２実施形態に係るインクジェット複合機の外観斜視図。
【図９】本発明の第２実施形態に係るインクジェット複合機の外観斜視図。
【図１０】本発明の第２実施形態に係るチルト装置の斜視図。
【図１１】本発明の第２実施形態に係るチルト装置の斜視図。
【図１２】本発明の第２実施形態に係るチルト装置の分解斜視図。
【図１３】本発明の第２実施形態に係るチルト装置の断面図。
【図１４】本発明の第２実施形態に係るチルト装置の断面図。
【符号の説明】
【００６７】
１Ａ、１Ｂ  インクジェット複合機、１ａ  装置本体、２  原稿台カバー、３  記憶媒体挿入部、４  用紙カセット、５  引き出し式用紙スタッカ、１０Ａ、１０Ｂ  チルトパネルユニット、１１  情報表示部、１２  操作設定部、１４Ａ  フレーム、１５  ホルダ、１６  装置フレーム、
２０  チルト装置、２１  押しボタン、２１ａ  突起、２１ｂ  凹部、２２  支持部材、２２ａ  軸、２３  ラチェット部材、２３ａ  ラチェット歯、２４  可動部材、２４ａ  穴部、２４ｂ  係合爪、２４ｃ  円筒部、２４ｄ  凹部、２５、２６  押圧ばね、
３０  チルト装置、３１  押しボタン部材、３１ａ  押しボタン部、３１ｂ  支持軸、３１ｃ  アーム部、３１ｄ  固定部、３２  回動軸、３３  ラチェット部材、３３ａ  ラチェット歯、３３ｂ  ギア部、３４  可動部材、３４ａ  係合爪、３４ｂ  回動軸、３４ｃ  ボタン係合部、３５、３６  開きばね、３７  ダンパー、３８、３９  ホルダ部材
【図１】
2010005941.tif 000003
【図２】
2010005941.tif 000004
【図３】
2010005941.tif 000005
【図４】
2010005941.tif 000006
【図５】
2010005941.tif 000007
【図６】
2010005941.tif 000008
【図７】
2010005941.tif 000009
【図８】
2010005941.tif 000010
【図９】
2010005941.tif 000011
【図１０】
2010005941.tif 000012
【図１１】
2010005941.tif 000013
【図１２】
2010005941.tif 000014
【図１３】
2010005941.tif 000015
【図１４】
2010005941.tif 000016